(57)【要約】【課題】本発明は、市販のティッシュペーパー箱のサイズのばらつきを幾らでも許容できて、しっかりと保持可能なティッシュペーパー箱ホルダーを提供することを目的とする。【解決手段】本発明のティッシュペーパー箱ホルダーは、金属板または可撓性のプラスチックにより、ティッシュペーパー箱ホルダー板体１の片方の面の中央部にティッシュペーパー箱８０の箱保持用帯状板部１１をその両側に箱保持用受け板部１２を形成し、もう一方の面の箱ホルダー板体取付け板部１３には、フック用取付け穴１５を設けた構成とする。【選択図】    図１
2006198379.tif 000002
【特許請求の範囲】
【請求項１】
金属板または可撓性のプラスチックのティッシュペーパー箱ホルダー板体（１）の片方の面の中央部にティッシュペーパー箱（８０）の箱保持用帯状板部（１１）をその両側に箱保持用受け板部（１２）を形成し、もう一方の面の箱ホルダー板体取付け板部（１３）には、フック用取付け穴（１５）を設けたティッシュペーパー箱ホルダー。
【請求項２】
金属板または可撓性のプラスチックのティッシュペーパー箱ホルダー板体（１）を箱保持用帯状板部の根元部分（１６）において曲げてエル字状に形成した請求項１記載のティッシュペーパー箱ホルダー。
【請求項３】
箱保持用帯状板部（１１）及び／又は箱保持用受け板部（１２）に先端を鋭角にした爪状部分（２０）を形成し、爪状部形成用折り曲げ部（２１）より曲げて、ティッシュペーパー箱（８０）の板紙を挟持する側に突き出た形状にした請求項１または２記載のティッシュペーパー箱ホルダー。
【請求項４】
爪状部分（２０）の中央部に爪状部分の先端鋭角部分（２８）を形成し、その両側に爪状部分の先端平坦部分（２９）を形成してなる請求項１〜３のいずれかに記載のティッシュペーパー箱ホルダー。
【請求項５】
爪状部分（２０）の先端側は切り離され根元側は、箱保持用帯状板部の先端部（２２）又は箱保持用受け板部の先端部（２３）と繋がった爪状部分の根元部分（２７）及び／又はその両側に小穴またはビード加工した爪状部形成用折り曲げ部（２１）を形成してなる請求項１〜４のいずれかに記載のティッシュペーパー箱ホルダー。
【請求項６】
箱ホルダー板体取付け板部（１３）に両面テープまたは磁石板を取り付けてなる請求項１〜５のいずれかに記載のティッシュペーパー箱ホルダー。
【請求項７】
箱保持用帯状板部（１１）と箱保持用受け板部（１２）及び／又は箱保持用受け板部の先端部（２３）の間の開口側の隙間を１〜２ｍｍあけ、奥に進むにしたがって狭くなるように形成してなる請求項１〜６のいずれかに記載のティッシュペーパー箱ホルダー。
【請求項８】
着磁性がある板に両面テープの取り付け及び／又は箱ホルダー板体用取付け板体の止着用穴（４１）を設けた箱ホルダー板体用取付け板体（２）を付属品としてなる請求項１〜７のいずれかに記載のティッシュペーパー箱ホルダー。
【請求項９】
金属板またはプラスチック板の片方の面に箱ホルダー板体取付け用フック（４２）を取り付け、その裏面への両面テープの貼り付け及び／又は箱ホルダー板体用取付け板体の止着用穴（４１）の設置、を施した箱ホルダー板体用取付け板体（２）を付属品としてなる請求項１〜８のいずれかに記載のティッシュペーパー箱ホルダー。
【請求項１０】
前記の箱ホルダー板体取付け用フック（４２）に箱ホルダー板体取付け用フック取付けヒンジ（４３）を取り付けてなる請求項１〜９のいずれかに記載のティッシュペーパー箱ホルダー。
【発明の詳細な説明】
【技術分野】
【０００１】  本発明は、ティッシュペーパーを収納したティッシュペーパー箱を保持して使い勝手をよくするティッシュペーパー箱ホルダーに関するものである。
【背景技術】
【０００２】  ティッシュペーパーは便利がいいものであり、箱に入れたティッシュペーパーは使い易くて特に便利がよいものであるが、用がない時には、箱が嵩張って邪魔になることティッシュペーパーを片手で取り出そうとすると箱が一緒に動いて取り出し難いなどの使い勝手が悪い面がある。そのため、このティッシュペーパー箱をしっかりと保持し、かつ、机の側面、テーブルの下面、壁面、冷蔵庫の側面などに、簡単に取り付け出来るティッシュペーパー箱ホルダーの発明が期待され、各種の考案・発明が提案されている。
現在までに提案されたティッシュペーパー箱ホルダーを大きく分類すると箱全体収容型、箱上面保持型、箱側面保持型である。
箱全体収容型および箱上面保持型は、摩擦抵抗も併用することがあるにしても基本的には箱そのものを保持する構成である。例えば特開平１１−１３７４７６はティッシュペーパー箱８０の両側面、底部、上面、の４面を側壁、基板底部、上壁により締め付ける構成である。
【特許文献１】特開平１１−１３７４７６
【実新文献１】
実開昭６０−４８７９２
【実新文献２】
登実３０８９８７５
【実新文献３】
登実３０３８８８６
箱側面保持型の中で幅一定の構成にしたものは、ティッシュペーパー箱の側面を単純に保持する構成である。
【実新文献４】
実開平３−９４１９６
【実新文献５】
実開昭６０−９１０９４
【実新文献６】
実開昭５５−２７６７７
【実新文献７】
実開昭５５−１２７５９６
箱側面保持型の中で保持部分を可動型の構成にしたものでは、挟持する部分の構成体が別々のものでティッシュペーパー箱を挟むように取り付ける構成のもの、また挟持する部分にばねを使って構成するものがある。
【実新文献８】
実開平６−６９１３９
【実新文献９】
登実３０８８１１６
本発明者が提案したものとして、箱側面保持型の中で保持部分を爪状にして構成するものがある。【特許文献２】特願２００４−３５４６６２
【発明の開示】
【発明が解決しようとする課題】
【０００３】  以上述べた従来のティッシュペーパー箱ホルダーには色々な問題がある。これらの問題を以下に列記する。【０００４】  市販のティッシュペーパー箱のサイズ・重量は一定ではない。ティッシュペーパー箱のティッシュペーパー取出し口を上にして置いた場合に、上から見た長方形の長さが短い方を幅、長い方を横幅、上下方向を高さということにして以下説明する。身近にあるものをみても幅１１５〜１２１ｍｍ、横幅２４３〜２４８ｍｍ、高さ５０〜９５ｍｍ、重量２４０〜４００ｇである。
例えば市販のティッシュペーパー箱の高さサイズがホルダーの高さよりも小さい場合、箱全体収容型および箱上面保持型では、上下方向の保持が出来ずに、がたがたする。逆にホルダーの高さよりもティッシュペーパー箱の高さが大きい場合、ティッシュペーパー箱が入らない。市販のティッシュペーパー箱のサイズは上記のようにばらつきがあるので、各種サイズのホルダーを提供することも考えられるが、そうしたとしてもティッシュペーパーのサイズを確認して購入する必要があり実際問題として使えないものであった。【０００５】  例えば市販のティッシュペーパー箱の幅サイズがホルダーの幅よりも小さい場合、箱側面保持型の中で幅一定の構成にしたものでは、保持が出来ず抜けてしまう。逆にホルダーの幅よりもティッシュペーパー箱の幅が大きい場合、ティッシュペーパー箱が入れ難いという問題があった。【０００６】  箱側面保持型の中で保持部分を可動型の構成にしたものでは、箱の幅のばらつきには対応できるけれども、挟持する部分の構成体が別々ものでは、着脱するときにずれを生じることがあるなどから保持し難く使い勝手が悪く、また挟持する部分にばねを使って構成するものでは構造が複雑になること、箱を入れ難く、どちらも不便であった。【０００７】  このような従来の構成が有していた問題を解決する目的で、前記の特許文献２のように箱側面保持型の中で保持部分を爪状にして構成するティッシュペーパー箱ホルダーを本発明者が提案した。この特許文献２の発明は、市販のティッシュペーパー箱のサイズのばらつきの内、横幅および高さに関しては幾らでもばらつきを許容でき、幅に関しては、現在の市販品のばらつきを許容できて、しっかりと保持可能なティッシュペーパー箱ホルダーを提供するものであった。
本発明は、さらに箱のサイズのばらつきに全く関係なく、しっかりと保持可能なティッシュペーパー箱ホルダーを提供することを目的とするものである。
【課題を解決するための手段】
【０００８】  本発明の課題を解決するための請求項１に係る本発明は、金属板または可撓性のプラスチックのティッシュペーパー箱ホルダー板体１の片方の面の中央部にティッシュペーパー箱８０の箱保持用帯状板部１１をその両側に箱保持用受け板部１２を形成し、もう一方の面の箱ホルダー板体取付け板部１３には、フック用取付け穴１５を設けたティッシュペーパー箱ホルダーである。【０００９】  請求項２に係る本発明は、金属板または可撓性のプラスチックのティッシュペーパー箱ホルダー板体１を箱保持用帯状板部の根元部分１６において曲げてエル字状に形成した請求項１記載のティッシュペーパー箱ホルダーである。【００１０】  請求項３に係る本発明は、箱保持用帯状板部１１及び／又は箱保持用受け板部１２に先端を鋭角にした爪状部分２０を形成し、爪状部形成用折り曲げ部２１より曲げて、ティッシュペーパー箱８０の板紙を挟持する側に突き出た形状にした請求項１又は２記載のティッシュペーパー箱ホルダーである。【００１１】  請求項４に係る本発明は、爪状部分２０の中央部に爪状部分の先端鋭角部分２８を形成し、その両側に爪状部分の先端平坦部分２９を形成してなる請求項１〜３のいずれかに記載のティッシュペーパー箱ホルダーである。【００１２】  請求項５に係る本発明は、爪状部分２０の先端側は切り離され根元側は、箱保持用帯状板部の先端部２２又は箱保持用受け板部の先端部２３と繋がった爪状部分の根元部分２７及び／又はその両側に小穴またはビード加工した爪状部形成用折り曲げ部２１を形成してなる請求項１〜４のいずれかに記載のティッシュペーパー箱ホルダーである。【００１３】  請求項６に係る本発明は、箱ホルダー板体取付け板部１３に両面テープまたは磁石板を取り付けてなる請求項１〜５のいずれかに記載のティッシュペーパー箱ホルダーである。【００１４】  請求項７に係る本発明は、箱保持用帯状板部１１と箱保持用受け板部１２及び／又は箱保持用受け板部の先端部２３の間の開口側の隙間を１〜２ｍｍあけ、奥に進むにしたがって狭くなるように形成してなる請求項１〜６のいずれかに記載のティッシュペーパー箱ホルダーである。【００１５】  請求項８に係る本発明は、着磁性がある板に両面テープの取り付け及び／又は箱ホルダー板体用取付け板体の止着用穴４１を設けた箱ホルダー板体用取付け板体２を付属品としてなる請求項１〜７のいずれかに記載のティッシュペーパー箱ホルダーである。【００１６】  請求項９に係る本発明は、金属板またはプラスチック板の片方の面に箱ホルダー板体取付け用フック４２を取り付け、その裏面への両面テープの貼り付け及び／又は箱ホルダー板体用取付け板体の止着用穴４１の設置、を施した箱ホルダー板体用取付け板体２を付属品としてなる請求項１〜８のいずれかに記載のティッシュペーパー箱ホルダーである。【００１７】  請求項１０に係る本発明は、前記の箱ホルダー板体取付け用フック４２に箱ホルダー板体取付け用フック取付けヒンジ４３を取り付けてなる請求項１〜９のいずれかに記載のティッシュペーパー箱ホルダーである。
【発明の効果】
【００１８】  請求項１の発明によると、本発明のティッシュペーパー箱ホルダーは、図１のようにシンプルな構成でありながらティッシュペーパー箱８０の横面又は縦面にティッシュペーパー箱の差込部分８１を形成し、この部分から箱保持用帯状板部１１を差し込み、箱保持用帯状板部１１と箱保持用受け板部１２によってティッシュペーパー箱８０の底板紙をしっかりと挟持することによって、ティッシュペーパー箱８０の寸法のばらつきがあってもティッシュペーパー箱８０をしっかりと保持可能なティッシュペーパー箱ホルダーを提供することが出来る。ティッシュペーパー箱ホルダー板体１自身はフックに引っ掛けること、箱ホルダー板体取付け板部１３に磁石板を接着して着磁性がある壁面や家具に取付けて使用すればよいので着脱し易くて便利がよい。本発明のティッシュペーパー箱ホルダーは、構成がシンプルで殆ど平板に近いものであり、プラスチック成型することも出来るし、１枚の金属板でプレス加工して製作することも出来るものであるから、高機能が発揮されるにも関わらず安く製作出来、商品がユーザーに渡るまで、１枚の平板に近い状態で流通することが出来るので、流通コスト、商品陳列コスト、倉庫代等々も安くおさまるというコストメリットがある。また箱ホルダー板体取付け板部１３の面に広告用又はインテリア効果用としてのラベルの貼付、印刷、その他表面処理を施すことが出来るので、企業などの贈答用品としての需要を喚起することが出来る。【００１９】  請求項２の発明によると、図２のように、ティッシュペーパー箱ホルダー板体１を箱保持用帯状板部１１のエル字状折り曲げ部３０においてエル字状にすることによって、請求項１の発明と違ってティッシュペーパー箱ホルダー板体１を壁面などに止着又は接着して使用することも出来るし、請求項１の発明と同様にティッシュペーパー箱ホルダー板体１自身はフックに引っ掛けること、箱ホルダー板体取付け板部１３に磁石板を接着して着磁性がある壁面や家具に取付けて使用すればよいので着脱がし易くて便利がよい。ティッシュペーパー箱８０の取り付け方法は請求項１の発明と同様であり、ティッシュペーパー箱８０の底にティッシュペーパー箱の差込部分８１を形成し、この部分から箱保持用帯状板部１１を差し込み、ティッシュペーパー箱８０の横面板紙をしっかりと挟持することによって、ティッシュペーパー箱８０の寸法のばらつきがあってもティッシュペーパー箱８０をしっかりと保持出来る。
請求項２の発明のティッシュペーパー箱ホルダーは、プラスチック成型することも出来るのであるが、１枚の金属板でプレス加工して製作することも出来るものであるから、金属板で製作したものは、ユーザーが購入後エル字状にすることが可能であり、１枚の金属板として商品構成できることから、請求項１の効果と同様に、構成がシンプルで殆ど平板に近いものであり、高機能が発揮されるにも関わらず安く製作出来、商品がユーザーに渡るまで、１枚の平板に近い状態で流通することが出来るので、流通コスト、商品陳列コスト、倉庫代等々も安くおさまるというコストメリットがある。ＤＩＹ店での取り扱いにしてもよいし、不器用な人向けにエル字状の曲げ加工したものを提供してもよいという自由度もある。また請求項１の発明と同様に箱ホルダー板体取付け板部１３の面に広告用又はインテリア効果用としてのラベルの貼付、印刷、その他表面処理を施すことが出来るので、企業などの贈答用品としての需要を喚起することが出来る。【００２０】  請求項３の発明によると、図３の（ロ）、（ハ）のように、箱保持用帯状板部１１と箱保持用受け板部１２によってティッシュペーパー箱８０の底板紙や横面板紙を挟持するだけではなく、爪状部分２０がティッシュペーパー箱ホルダー板体１の板紙を挟持する側に爪状部形成用折り曲げ部２１より曲げて突き出た形状になっているので、板紙を爪によって引っ掛ける働きがあり、よりしっかりとティッシュペーパー箱８０を保持可能なティッシュペーパー箱ホルダーを提供することが出来る。図３の（ハ）のようにティッシュペーパー箱８０の右側によってＢの方向に押しながら矢印の方向に押せばティッシュペーパー箱の差込部分８１に箱保持用帯状板部１１が挿入されるのであるが右側に押す力がない時には箱ホルダー板体取付け板部１３と箱保持用受け板部１２とは平行線上にあってもよく請求項１の発明による場合にはプラスチック成型でも金属板プレス加工で製作したとしても殆ど平板に近いティッシュペーパー箱ホルダーを提供出来る。特に金属板プレス加工のものでは爪状部分２０のみ押し出し加工するかユーザーが購入後に、箱保持用受け板部の先端部２３を曲げることにしてもよく、その場合は、より平板に近いものになる。【００２１】  請求項４の発明によると、図４の（ロ）のように、前記の爪状部分２０の先端側に爪状部分の先端平坦部分２９を形成し、その中央部に爪状部分の先端鋭角部分２８を形成することによって、万が一爪状部分２０の先端部分に偶然、指などが触った場合でも、かすり傷を負うことを防止出来る。その原理を、図４を参照しながら説明する。図４の（イ）のように指９０が爪状部分の先端鋭角部分２８に偶然接触したとしても、その両側の指の肉が爪状部分の先端平坦部分２９に遮られて、それ以上深く爪状部分の先端鋭角部分２８が指に食い込まない。包帯をとめる金具でも小さな爪状部分を有しているが、小さいために筋肉に食い込みにくく安全であって従来から一般に使用されている。また接触していた指をＡ方向に動かした場合、爪状部分の根元部分２７を支点として爪状部分の先端鋭角部分２８がＢ方向に回転して柔軟なため、かすり傷を負うことがない。指を前後方向に動かした場合でも、爪状部��の先端鋭角部分２８は鋭角であるがテーパーがあること、食い込みが小さいことからかすり傷を負うことがない。比較説明用の図４の（ニ）のような形状にした場合、図４の（ハ）のように指の肉に深く食い込み危険である。【００２２】  請求項５の発明によると、請求項３の発明による効果で説明したように、図３の（ロ）、（ハ）に示す箱保持用帯状板部１１と箱保持用受け板部１２によってティッシュペーパー箱８０の底板紙や横面板紙を挟持するだけではなく、爪状部分２０がティッシュペーパー箱ホルダー板体１の板紙を挟持する側に爪状部形成用折り曲げ部２１より曲げて突き出た形状になっているので、板紙を爪によって引っ掛ける働きがあり、よりしっかりとティッシュペーパー箱８０を保持可能であるのであるが、さらに、この突き出た形状を容易に形成可能にする手段と板紙を挿入し易くする効果を提供することが出来る。図３と図４を参照しながら説明する。プラスチックの場合は成形型によって製造時点で爪状部分２０が突き出た形状に成型すればよい。金属板の場合には、ユーザーが本発明品を購入後に爪状部分２０を突起として形成出来る。この金属板の場合の突起を形成し易くするのが請求項５の発明の目的である。
金属板の場合、図４の（ロ）のように、爪状部分の根元部分２７に小穴列又はビード加工による爪状部形成用折り曲げ部２１を形成して、図４の（イ）の左側から棒状のもので押せば簡単に突起を形成することが出来る。
また、金属板の場合、図３の（イ）のように爪状部分の根元部分２７の両側に小穴列またはビード加工による爪状部形成用折り曲げ部２１を形成して、ここから曲がり易くしておいて、箱保持用受け板部１２を片方の手で保持し、もう一方の手で箱保持用受け板部の先端部２３を図３の（ハ）のＢの方向へ曲げることによって爪状部分の根元部分２７を支点にして箱保持用受け板部の先端部２３を曲げることが出来る。このとき爪状部分の根元部分２７には特に曲げる力が発生しないため爪状部分２０が箱保持用受け板部の先端部２３と同じ角度で曲がることになり結果的に爪状部分２０がティッシュペーパー箱ホルダー板体１の板紙を挟持する側に突き出ることになり、特に用具を必要とせず簡単に爪状突起を形成することが出来る。そして図３の（ハ）の箱保持用帯状板部１１と箱保持用受け板部の先端部２３との形が示すようにティッシュペーパー箱８０の板紙が挿入しやすいように開口部が形成される。このように爪状突起を容易に形成することが出来ると共に、板紙を挿入し易くする効果がある。【００２３】  請求項６の発明によると、本発明のティッシュペーパー箱ホルダーの取付け、取外しはフック等に引っ掛けて使用する以外に、磁石板によって着脱可能であり、取り付けの自由度が非常に高くなる。
特に、エル字状のティッシュペーパー箱ホルダーの場合には、フック等に引っ掛けて使用する以外に、止着することも出来るし、両面テープまたは磁石板を取り付けることも可能であり、ティッシュペーパー箱ホルダーの取り付けの自由度がさらに高まる。特に磁石板では、着磁性金属の平面が確保出来る場合には、至って容易に取り付け、取外しが可能である。【００２４】  請求項７の発明によると、図３の（ロ）のように箱保持用帯状板部１１を左側に凹ませる形にするか、図３の（ハ）のように箱保持用受け板部１２を曲げるなどしてティッシュペーパー箱８０の板紙を挿入する方の開口側を最初から１〜２ｍｍあけ、奥に進むにしたがって狭くなるようにすることができるので、挿入はし易く、しかも板紙をしっかり保持することが出来る。【００２５】  請求項８の発明によると、着磁性金属板による箱ホルダー板体用取付け板体２を付属品とすることによって、着磁性金属から作った家具や壁面がない場所でも磁石板付きのティッシュペーパー箱ホルダーを便利よく使えるようにすることが出来る。また着磁性金属板による箱ホルダー板体用取付け板体２は、箱ホルダー板体用取付け板体の止着用穴４１を使用して止着部材によって止着することも出来るし、両面テープによって接着することも出来る。【００２６】  請求項９の発明によると、エル字状を横向きにした形で箱ホルダー板体取付け用フック４２を取り付けた箱ホルダー板体用取付け板体２を付属品とすることによって、適切なフックがない場所でもティッシュペーパー箱ホルダーを簡単にフックにかけて便利よく使えるようにすることが出来る。
エル字状を横向きにした形で取り付けた場合に便利よく使える理由を、図８を参照しながら説明する。図８の（イ）のようにフック用取付け穴１５はティッシュペーパー箱ホルダー板体１に縦長の長穴を形成しているので、ティッシュペーパー箱ホルダー板体１を横向きにするとフック用取付け穴１５の長い方が横になる。その状態で箱ホルダー板体取付け用フック４２が横を向いているので、それに合わせてティッシュペーパー箱ホルダー板体１を挿入する。奥に入ったところで図８の（ハ）のようにティッシュペーパー箱ホルダー板体１を右に回転して、下に向けるとフック用取付け穴１５は縦長の状態になり、長穴の短い方が横向きになるので箱ホルダー板体取付け用フック４２のエル字が横を向いていて長穴の横幅よりもフックの横向き長さが長いので長穴の横向き側面に引っかかってティッシュペーパー箱ホルダーは外れない。ティッシュペーパー箱ホルダー板体１にはティッシュペーパー箱８０が下方に付いていて重心が下方にあるので人が横に回して外さない限り簡単には外れない。また垂直を軸にしてに回そうとしても箱ホルダー板体取付け用フック４２の前後方向の隙間よりもティッシュペーパー箱ホルダー板体１の幅がずっと広いため回らず、ティッシュペーパー箱ホルダーは外れない。
ちょうどよい市販のフックを使用してもよいのであるが寸法が合っていなければこの効果が生まれないので、マッチした寸法の付属品として提供する意味がある。このように簡単に挿入出来て、通常使用する時には外れるなどの不都合が生じないように出来るティッシュペーパー箱ホルダーの付属品を提供出来る。【００２７】  請求項１０の発明によると、フックの部分がコンパクトに出来る。請求項９の発明のフックは使用する場合には便利がよいのであるが、ティッシュペーパー箱ホルダー板体１と一緒に包装して市場に提供するとき、嵩張ってしまう。図８の（イ）のように、箱ホルダー板体取付け用フック４２を箱ホルダー板体取付け用フック取付けヒンジ４３によって取り付けること、箱ホルダー板体取付け用フック４２を平らに形成することによって、又はヒンジとフックを一体で形成することによって、包装・搬送時に嵩張らないようにすることが出来る。【００２８】  このようにユーザーが長年期待していた使い易くて、便利がよく、しかも安いティッシュペーパー箱ホルダーを提供出来る。
【発明を実施するための最良の形態】
【００２９】  本発明に係るティッシュペーパー箱ホルダーの最良の実施形態について説明する。実施形態を分かり易く説明するため図を参照しながら順次説明する。【００３０】  本発明のティッシュペーパー箱ホルダーは、金属板をプレス加工しても製作できるし、可撓性があるプラスチックの成型によっても製作できる。金属板をプレス加工によって試作および試験はしたので、主として金属板１枚をプレス加工した形態のもので説明するけれども、特に記載ない部分は最終の形状はプラスチック成型品によっても実現できることを意味し、特に必要な部分はプラスチックの成型品について補足説明する。【００３１】  図５の（イ）のように金属板をプレス加工する。長方形のティッシュペーパー箱ホルダー板体１を形成するよう全周を打抜き加工する。長方形の下部に先端を鋭角にした箱保持用帯状板部１１を形成するために、その周辺に空間を形成するように打抜き加工する。この空間は、図５の（イ）の周辺の空間の下方の形は図の例のように四角でなくて箱保持用帯状板部１１の形状に沿った溝状の空間でもよい。
長方形の上部にフック用取付け穴１５を形成するために打抜き加工する。これによって最もシンプルな形態のティッシュペーパー箱ホルダーの本体が出来上がる。
使い方は、図１に示すようにティッシュペーパー箱８０のティッシュペーパー箱の差込部分８１に箱保持用受け板部１２の下部をティッシュペーパー箱８０の外面で押しながら上方に押して、箱保持用帯状板部１１を差し込む。ティッシュペーパー箱の差込部分８１にカッター等で少し切れ目を入れると挿入し易い。
箱保持用帯状板部の根元部分１６の水平線を境として役割が分かれる。箱保持用帯状板部の根元部分１６より下方は中央が箱保持用帯状板部１１、その両側が箱保持用受け板部１２であって、ティッシュペーパー箱の板紙を挟む役割である。箱保持用帯状板部の根元部分１６より上方は箱ホルダー板体取付け板部１３でありティッシュペーパー箱ホルダー板体１を壁などに取付けるための役割とティッシュペーパー箱８０に箱保持用帯状板部１１を挿入する際に手で保持する部分としての役割がある。したがってある程度の広さが必要である。そこで箱ホルダー板体取付け板部１３の表面に広告用又はインテリア効果用としてのラベルを貼付して、企業の広告用贈与品等としての需要を喚起することが出来て商品価値をアップすることが出来る。
フック用取付け穴１５は、縦方向に長い長穴とする。フックに取付けたときに前記のように外れ難い。
取り付け穴は図７のように小さな箱ホルダー板体取付け穴１４を設けて、小さなフック状のものに引っ掛ける用途にしてもよく、箱ホルダー板体取付け穴１４とフック用取付け穴１５を一緒に設けてもよく、複数の箇所に設けてもよい。またフック用取付け穴１５は、縦長穴に対して横向きのフックに引っ掛けると外れ難いことの説明をしたが、図７の（ロ）のように横長穴についても相手のフックが横長であって、たて向きにエル字状になっている場合も同様に外れ難い。したがって図７の（イ）、（ロ）のようなフック穴があってもよくフックの形態に対して適合しやすくすることができる。
穴抜き加工を含む打抜き加工部分のバリの仕上げは、研磨などによって仕上げることや、ハゼ折押しつぶし加工によってもよいし、別材料として合成ゴムや軟質プラスチックで当該部分を保護してもよい。箱保持用帯状板部１１、箱保持用受け板部１２、箱ホルダー板体取付け板部１３の補強のため波加工などを施してもよい。【００３２】  図５の（二）のように前記のプレス加工に追加して、箱保持用帯状板部の根元部分１６の水平線上にエル字状折り曲げ部３０を形成するために、小さな穴抜き加工する。この部分は、完全に穴抜きをせずに押し型加工でもよいし、Ｖ字ビード加工またはＲビード加工でもよい。
箱保持用帯状板部の根元部分１６の水平線を境にして約９０度曲げることによって図２の形態のティッシュペーパー箱ホルダーの本体が出来上がる。この曲げ作業は、ユーザーが行うものとして説明書を入れＤＩＹ店での取り扱いにしてもよいし、不器用な人向けに曲げ加工したものを提供してもよいという自由度がある。使い方は、前記の９０度曲げる前の場合と同様である。
エル字状のティッシュペーパー箱ホルダーは壁などに止着または接着した状態でも使用できるので、取付け用の穴は図２に示すように箱ホルダー板体取付け穴１４とフック用取付け穴１５の両方を穴抜き加工する。箱ホルダー板体取付け穴１４とフック用取付け穴１５は単独でもよいし、複数個所に設けてもよい。また前記のようにフック用取付け穴１５は横長の穴にしてもよい。この箱ホルダー板体取付け穴１４は、小さなフックに引っ掛ける使い方も出来るし、押しピンや木ネジ、釘等の止着部材で止着することもできる。【００３３】  図５の（ロ）に示すように爪状部分２０を形成するために爪状の形にそった溝状の穴抜き加工する。爪状部分の根元部分２７の水平線上に爪状部形成用折り曲げ部２１を形成するために、小さな穴抜き加工する。この部分は、完全に穴抜きをせずに押し型加工でもよいし、Ｖ字ビード加工またはＲビード加工でもよい。
この爪状部形成用折り曲げ部２１は、図５の（ニ）に示すように爪状部分の根元部分２７の両側の水平線上に形成してもよく、その両方に形成してもよい。
この爪状部形成用折り曲げ部２１を設けることによって、爪状部分２０部分を棒状のもので押せば簡単に爪状突起を形成することが出来る。また図３の（ハ）のように箱保持用受け板部１２を片方の手で保持し箱保持用受け板部の先端部２３をＢの方向に曲げることによって爪状部分の根元部分２７を支点にして箱保持用受け板部の先端部２３を曲げることが出来る。このとき爪状部分の根元部分２７には特に曲げる力が発生しないため爪状部分２０が箱保持用受け板部の先端部２３と同じ角度で曲がることになり結果的に爪状部分２０がティッシュペーパー箱ホルダー板体１の板紙を挟持する側に突き出ることになり、特に用具を必要とせず簡単に形成することが出来る。そして図３の（ハ）の箱保持用帯状板部１１と箱保持用受け板部の先端部２３との形が示すようにティッシュペーパー箱８０の板紙が挿入しやすいように開口部が形成される。このように爪状突起を容易に形成することが出来ると共に、板紙を挿入し易くする効果が生まれる。【００３４】  爪状部分２０の形態は、図９の（イ）〜（ヘ）に示すように、いろいろの形態にすることができる。ただし前記図４で説明したように、図４の（ロ）の形態が好ましく、図９の（ロ）、（ハ）、（ニ）、（ホ）については図で見た場合の左から右に向けて、又は右から左に向けてテーパーが形成されておらず、かすり傷が発生することもあり得る。図９の場合は、（イ）及び（ヘ）が好ましい。【００３５】  図３の（ロ）、（ハ）のように、何も力が加えられていない状態で、箱保持用帯状板部１１と箱保持用受け板部の先端部２３の間の開口側の隙間が１〜２ｍｍあき、奥に進むにしたがって狭くなるように、成型する。こうすることによって、挿入はし易く、しかも板紙をしっかり保持することが出来る。【００３６】  本発明のティッシュペーパー箱ホルダーの取付け、取外しに関しては平板状のものとエル字状のものに分けて説明する。
平板状については、前記のようにフック用取付け穴１５や箱ホルダー板体取付け穴１４を設ける以外に、図６の（イ）ように、磁石板７２を箱ホルダー板体取付け板部１３に接着する。磁石板７２は１枚でもよく複数枚でもよく、また、強力な磁石チップでもよい。平板状は、ティッシュペーパー箱８０を挟持するときにティッシュペーパー箱ホルダーそのものを保持した状態で行う必要があるので、壁などに止着手段または接着手段により固定するのではなく着脱が自由に出来るようにする必要がある。フックにかけるか磁石板の利用等である。
エル字型については、前記のようにフック用取付け穴１５を設ける以外に、箱ホルダー板体取付け穴１４を設ける以外に、図６の（ロ）のように、磁石板７２を箱ホルダー板体取付け板部１３に接着すること両面テープ７１を接着することもできる。また両面テープ７１、磁石板７２は１枚でもよく複数枚でもよく、また、磁石板７２は強力な磁石チップでもよい。エル字型は、ティッシュペーパー箱ホルダーを壁などに止着していても箱挟持保持用帯状板部１１が壁から前に出ている状態になるので、容易にティッシュペーパー箱８０を挟持することが出来るので壁などに止着手段または接着手段により固定することもできるし、着脱が自由に出来るようにすることもできるという自由度がある。
両面テープ７１、磁石板７２とも、接着作業は、ユーザーが行うものとして説明書を入れＤＩＹ店での取り扱いにしてもよいし、不器用な人向けに接着したものを提供してもよい。【００３７】  箱保持用受け板部１２の形態は図５の（ニ）と（ホ）のように最下部が繋がったものと離れたものとが考えられるが、箱保持用受け板部の先端部２３を曲げる場合に同じ角度で曲がり易いためには図５の（ニ）のように繋がっている方が望ましい。【００３８】  着磁性がある金属板を四角に打抜く、図８の（ロ）のように箱ホルダー板体用取付け板体の止着用穴４１を打抜き加工する。両面テープを貼り付ける。この穴と両面テープはどちらか片方だけでもよく、両方あってもよく、両面テープは市販品を使うことにしてもよい。これを箱ホルダー板体用取付け板体２としてティッシュペーパー箱ホルダー用の付属品として提供する。着磁性の家具や壁がないところでは有用である。【００３９】  金属板又はプラスチック板に箱ホルダー板体用取付け板体の止着用穴４１を設け、片方の面に箱ホルダー板体取付け用フック４２を取り付け、その裏面に両面テープを貼り付ける。この穴と両面テープはどちらか片方だけでもよく、両方あってもよく、両面テープは市販品を使うことにしてもよい。これを箱ホルダー板体用取付け板体２としてティッシュペーパー箱ホルダー用の付属品として提供する。適合するフックがないところでは有用である。
またフック用取付け穴１５は、縦長穴に対して横向きのフックに引っ掛けると外れ難いことの説明をしたが、図７の（ロ）のように横長穴についても相手のフックが横長であって、たて向きにエル字状になっている場合も同様に外れ難い。したがって箱ホルダー板体取付け用フック４２は横長のフックとすることができる。【００４０】  図８の（イ）のように、前記の箱ホルダー板体取付け用フック４２に箱ホルダー板体取付け用フック取付けヒンジ４３を取付ける。又は箱ホルダー板体取付け用フック４２と箱ホルダー板体取付け用フック取付けヒンジ４３を一体で製作する。これにより嵩張りを防止できる。【００４１】  以上述べたように、金属板１枚をプレス加工することによって、ＤＩＹ用としてもよく、不器用な人向けに曲げ加工して提供してもよい、軽量・コンパクト・安価でかつ便利なティッシュペーパー箱ホルダーの提供を実現できる。
【産業上の利用可能性】
【００４２】  本発明によれば、軽量・コンパクト・安価でかつ便利なティッシュペーパー箱ホルダーが提供され、生活空間が改善されて快適な生活ができるなど極めて有用である。
【図面の簡単な説明】
【００４３】
【図１】平板状のティッシュペーパー箱ホルダー板体１、箱ホルダー板体用取付け板体２およびティッシュペーパー箱の関係を示す斜視図
【図２】エル字状のティッシュペーパー箱ホルダー板体１、箱ホルダー板体用取付け板体２およびティッシュペーパー箱の関係を示す斜視図
【図３】爪状部分２０の説明に使う模式図であり、（イ）は爪状部分２０の突起の形成を説明するための図、（ロ）、（ハ）はティッシュペーパー箱の板紙を挟持し易くする様子を分かり易く説明するための側面図
【図４】かすり傷を負うことを防止できる原理を説明するための模式図であり、（イ）は爪状部分先端平坦部分１９を設けた爪状部分１２を側面から見た模式図、（ロ）は爪状部分先端平坦部分１９を設けた爪状部分１２の模式図、（ハ）は爪状部分先端平坦部分１９を設けていない爪状部分１２を側面から見た模式図（ニ）は爪状部分先端平坦部分１９を設けていない爪状部分１２の模式図
【図５】ティッシュペーパー箱ホルダーの平板状態の模式図であり、（イ）は最もシンプルなホルダーの例の平面図、（ロ）、（ハ）、（ニ）、（ホ）は爪状部形成用折り曲げ部２１について分かり易く説明するための平面図
【図６】両面テープ７１、磁石板７２を貼付につき説明するための模式図であり、（イ）は平板状のティッシュペーパー箱ホルダー板体１に貼付したときの平面図、（ロ）はエル字状のティッシュペーパー箱ホルダー板体１に貼付したときの平面図
【図７】フック用取付け穴１５について説明するための模式図であり、（イ）は縦長の場合の平面図、（ロ）は横長の場合の平面図
【図８】箱ホルダー板体用取付け板体２について説明するための模式図であり、（イ）は表面、箱ホルダー板体取付け用フック４２が見える斜視図、（ロ）は裏面、両面テープ７１が見える斜視図、（ハ）は箱ホルダー板体取付け用フック４２に
【図９】爪状部分２０の形態の種類を説明するための模式図であり、（イ）および（ヘ）は好ましい形態の爪状部分の例の模式図、（ハ）、（ニ）、（ホ）は必ずしも好ましいとは限らない形態の爪状部分の例の模式図
【符号の説明】
【００４４】１    ティッシュペーパー箱ホルダー板体
２    箱ホルダー板体用取付け板体
１１  箱保持用帯状板部
１２  箱保持用受け板部
１３  箱ホルダー板体取付け板部
１４  箱ホルダー板体取付け穴
１５  フック用取付け穴
１６  箱保持用帯状板部の根元部分１６
２０  爪状部分
２１  爪状部形成用折り曲げ部
２２  箱保持用帯状板部の先端部
２３  箱保持用受け板部の先端部
２７  爪状部分の根元部分
２８  爪状部分の先端鋭角部分
２９  爪状部分の先端平坦部分
３０  エル字状折り曲げ部
４１  箱ホルダー板体用取付け板体の止着用穴
４２  箱ホルダー板体取付け用フック
４３  箱ホルダー板体取付け用フック取付けヒンジ
５０  広告用ラベル
７１  両面テープ
７２  磁石板
８０  ティッシュペーパー箱
８１  ティッシュペーパー箱の差込部分
９０  指
【図１】
2006198379.tif 000003
【図２】
2006198379.tif 000004
【図３】
2006198379.tif 000005
【図４】
2006198379.tif 000006
【図５】
2006198379.tif 000007
【図６】
2006198379.tif 000008
【図７】
2006198379.tif 000009
【図８】
2006198379.tif 000010
【図９】
2006198379.tif 000011